(57)【要約】【課題】両面印字において、印字範囲と仕上げ処理範囲とを重ならないようにすること。【解決手段】本実施形態の画像形成装置は、記録媒体の両面に印字する両面印刷および印字後の仕上げ処理が印刷条件として設定されると（Ｓ１，Ｓ４〜Ｓ６）、仕上げ処理において、該両面それぞれにおいて仕上げ処理が実行される仕上げ処理範囲を含まない範囲内に印字範囲の位置を調整する（Ｓ１０，Ｓ１３）。【選択図】図３
2015040952.tif 000002
【特許請求の範囲】
【請求項１】
原稿を読み取ることにより生成された画像データに基づいて、画像を形成する画像形成装置であって、
印刷条件を設定する印刷条件設定部と、
印字後の仕上げ処理を実行する仕上げ処理実行部と、
記録媒体の両面に印字する両面印刷および印字後の仕上げ処理が前記印刷条件として前記印刷条件設定部により設定されると、前記仕上げ処理において、該両面それぞれにおいて前記仕上げ処理が実行される仕上げ処理範囲を含まない範囲内に印字範囲を調整する調整部とを備えることを特徴とする、画像形成装置。
【請求項２】
前記調整部は、前記印字範囲の位置を調整することを特徴とする、請求項１に記載の画像形成装置。
【請求項３】
前記調整部は、前記印字範囲の位置の調整に加えて、前記記録媒体の両面それぞれに形成される画像の印字倍率を調整することを特徴とする、請求項２に記載の画像形成装置。
【請求項４】
前記調整部は、前記印字範囲の位置の調整に加えて、前記記録媒体の表面に形成される画像と裏面に形成される画像とを互いに異なる印字倍率に調整することを特徴とする、請求項２または３に記載の画像形成装置。
【請求項５】
前記印刷条件設定部は、前記記録媒体の表面または裏面の少なくとも一方に複数ページ分を印刷する条件を前記前記印刷条件として設定することを特徴とする、請求項１〜３のいずれかに記載の画像形成装置。
【請求項６】
前記調整部は、中綴じ処理が前記印刷条件設定部により設定されると、前記記録媒体において中央の仕上げ処理範囲を含まない左の範囲内に、左面に形成されるとして割り振られるページの画像の印字範囲の位置を調整し、前記記録媒体において中央の仕上げ処理範囲を含まない右の範囲内に、右面に形成されるとして割り振られるページの画像の印字範囲の位置を調整することを特徴とする、請求項４に記載の画像形成装置。
【発明の詳細な説明】
【技術分野】
【０００１】
本発明は、プリンタ、複写機各種の画像形成装置における仕上げ処理の設定技術に関する。
【背景技術】
【０００２】
従来、画像形成装置について、複合機に代表されるように、ファクシミリ、プリンタやスキャナ等の様々な機能を提供するものが開発されてきた。また、画像形成装置には、複数の画像を記録紙の一面に収めて合成する印刷モード（Ｎｉｎ１）、綴じ処理（ステープル）、穿穴処理（パンチ）等の種々の仕上げ機能が備わっている。
【０００３】
しかし、様々な機能が備わるようになると、ユーザの要望に合わせることができるようにはなるが、機能が多くなることにより操作が煩雑になっていた。ユーザによる機能選択を容易にするために、画像形成装置の操作パネルに、選択可能な機能をアイコンで表示し、選択した機能に応じて印刷物の仕上がりイメージを表示させる技術が、例えば特許文献１に開示されている。
【０００４】
しかしながら、特許文献１の技術では、簡易に機能選択はできるものの、規定の設定しか選択することができず、例えば、ステープル位置や、パンチの位置等について、ユーザが所望の位置を指定し、カスタマイズすることはできなかった。また、特許文献１の技術では、Ｎｉｎ１の機能を利用する場合でも、ユーザが、記録紙に対して自由に画像の配置を設定し、または、記録紙に対する画像の大きさの比率を自由に設定することはできなかった。
【０００５】
これに対して、特許文献２には、出力イメージ操作領域において、タッチペン等により用紙領域、パンチ穴の位置、ステープルの位置等の指定により仕上げ機能を設定する技術が開示されている。出力イメージ操作領域には、用紙領域、原稿が読み取られることにより取得された画像データを示す原稿アイコン（サムネイル）、指定されたステープルおよびパンチ穴が含まれた画像が表示される。これにより、直感的な操作で仕上げ機能をカスタマイズして設定することが可能である。
【０００６】
また、印字範囲がステープル位置、パンチ穴位置と重なることを防止することが可能な技術が特許文献３に開示されている。具体的には、画像を形成する前の段階で用紙のステープル処理やパンチ処理により削られる画面をエラー頁として操作パネル上に表示することが開示されている。
【先行技術文献】
【特許文献】
【０００７】
【特許文献１】特開２００７−７８７２６号公報（２００７年３月２９日公開）
【特許文献２】特開２００９−１１６７８９号公報（２００９年５月２８日公開）
【特許文献３】特開２００７−３４４４４号公報（２００７年２月８日公開）
【発明の概要】
【発明が解決しようとする課題】
【０００８】
しかしながら、特許文献３に記載の技術は、片面印字の場合に、ステープル位置やパンチ位置と印字範囲と重なることを防止することができるが、両面印字の場合には、そのような問題を解決することができないといった問題がある。
【０００９】
本発明は、上述課題を解決するためになされたものであり、この発明の目的は、両面印字において、印字範囲と仕上げ処理範囲とを重ならないようにすることが可能な画像形成装置を提供することである。
【課題を解決するための手段】
【００１０】
上記の課題を解決するために、本発明の一態様に係る画像形成装置は、原稿を読み取ることにより生成された画像データに基づいて、画像を形成する画像形成装置であって、印刷条件を受け付ける印刷条件設定部と、印字後の仕上げ処理を実行する仕上げ処理実行部と、記録媒体の両面に印字する両面印刷および印字後の仕上げ処理が前記印刷条件として前記印刷条件設定部により設定されると、前記仕上げ処理において、該両面それぞれにおいて前記仕上げ処理が実行される仕上げ処理範囲を含まない範囲内に印字範囲の位置を変更する変更部とを備える。
【発明の効果】
【００１１】
本発明の一態様によれば、両面印字において、印字範囲とステープル位置等とが重ならないようにすることができるといった効果を奏する。
【図面の簡単な説明】
【００１２】
【図１】本実施の形態における画像形成装置の一例を示す断面図である。
【図２】画像形成装置の概略構成を示した機能ブロック図である。
【図３】画像形成処理の流れの一例を示すフローチャートである。
【図４】両面印刷における仕上げ加工位置に応じた印字範囲の位置を変更する場合の第１具体例を示す図である。
【図５】両面印刷における仕上げ加工位置に応じた印字範囲の位置を変更する場合の第２具体例を示す図である。
【図６】両面印刷における仕上げ加工位置に応じた印字範囲の位置を変更する場合の第３具体例を示す図である。
【図７】第２の実施形態における画像形成処理の流れの一例を示すフローチャートである。
【図８】両面印刷における仕上げ加工位置に応じた印字範囲の位置および印字倍率を変更する場合の第４具体例を示す図である。
【図９】両面印刷における仕上げ加工位置に応じた印字範囲の位置および印字倍率を変更する場合の第５具体例を示す図である。
【発明を実施するための形態】
【００１３】
〔第１の実施形態〕
図面を参照しつつ、本発明の実施の形態について説明する。以下の説明では、同一の部品には同一の符号を付してある。それらの名称および機能も同じである。したがって、それらについての詳細な説明は繰り返さない。
【００１４】
図１は、本実施の形態における画像形成装置の一例を示す断面図である。図１に示されるように、画像読取部２は、透明ガラスからなる原稿載置台１１、原稿載置台１１上へ自動的に原稿を供給するための両面原稿自動送り装置（Ｒｅｃｉｒｃｕｌａｔｉｎｇ  Ａｕｔｏｍａｔｉｃ  Ｄｏｃｕｍｅｎｔ  Ｆｅｅｄｅｒ、以下、「ＲＡＤＦ」という）１２、原稿載置台１１上に載置された原稿の画像を走査して読み取るための原稿画像読み取りユニット、すなわちスキャナユニット１３から構成されている。
【００１５】
ＲＡＤＦ１２は、所定の原稿トレイ上に複数枚の原稿を一度にセットしておき、セットされた原稿を１枚ずつ自動的にスキャナユニット１３が読み取る原稿載置台１１上へ送給する公知の装置である。そして、ＲＡＤＦ１２は、使用者の選択に応じて原稿の片面または両面をスキャナユニット１３に読み取らせるように、片面原稿のための搬送経路、両面原稿のための搬送経路、搬送経路切り換え手段などから構成されている。
【００１６】
スキャナユニット１３は、原稿面上を露光するランプリフレクタアセンブリと、原稿からの反射光像を電気的画像信号に変換する光電変換素子（Ｃｈａｒｇｅ  Ｃｏｕｐｌｅｄ  Ｄｅｖｉｃｅ、以下、「ＣＣＤ」という）１７に導くための第１反射ミラーを搭載した第１走査ユニット１４および第２、第３反射ミラーを搭載した第２走査ユニット１５、反射光像をＣＣＤ１７上に結像するための光学レンズ体１６から構成される。第１走査ユニット１４は原稿載置台１１に沿って左から右へ一定速度Ｖで走行し、第２走査ユニット１５はＶ／２の速度で同一方向に走行するように走査制御される。
【００１７】
これにより、画像読取部２では、ＲＡＤＦ１２とスキャナユニット１３の関連した動作によって、原稿載置台１１上に読み取るべき原稿を順次載置させながら、原稿載置台１１の下面に沿ってスキャナユニット１３を移動させて、原稿載置台１１上に載置された原稿の画像を１ライン毎に順次ＣＣＤ１７に結像させて、原稿画像を読み取ることができる。
【００１８】
原稿画像をスキャナユニット１３で読み取ることにより得られた画像データは、各種処理が施された後、メモリに一旦記憶され、出力指示に応じてメモリから画像データを画像形成部３に出力して、感光体ドラム２２上に可視画像として再現した後、用紙上に画像を転写してトナー像を形成する。
【００１９】
この画像形成部３は、レーザ書き込みユニット（Ｌａｓｅｒ  Ｓｃａｎｎｉｎｇ  Ｕｎｉｔ、以下、「ＬＳＵ」という）２１および画像を形成するための電子写真プロセス部２０を備えている。
【００２０】
ＬＳＵ２１は、メモリから読み出した画像データまたはパーソナルコンピュータ等の外部機器から転送されてきた画像データに応じてレーザ光を出射する半導体レーザ、レーザ光を等角速度偏向するポリゴンミラー、等角速度偏向されたレーザ光が電子写真プロセス部２０の感光体ドラム２２上を等速度で走査するように補正するｆ−θレンズ等を有している。
【００２１】
電子写真プロセス部２０は、周知の態様に従い、感光体ドラム２２の周囲に帯電装置２３、現像装置２４、転写装置２５、剥離装置２６、クリーニング装置２７、除電装置（不図示）を配置し、さらに感光体ドラム２２の下流側に定着装置２８を配置して構成される。
【００２２】
給紙部４は、例えば、図１に示すように、第１〜３カセット３１〜３３および手差しトレイ３５を有している。第１カセット３１は、第１のトレイ及び第２のトレイを収容するタンデムトレイで、両トレイを装置本体から同時に引き出し可能となっている。第２カセット３２、第３カセット３３は、それぞれ第３のトレイ、第４のトレイを収容する。つまり、本例では、３つのカセット（３１〜３３）に４つのトレイが収容されている。給紙搬送路３７、３８は、給紙部４から感光体ドラム２２と転写装置２５との間の転写位置に用紙を搬送するために、給紙ローラ、搬送ローラ、レジストローラを備えている。
【００２３】
この給紙部４における第１〜３カセット３１〜３３内の４つのトレイには、用紙がサイズ毎に積載されて収容されており、使用者が所望するサイズの用紙が収容されているカセットあるいはトレイを選択すると、そのトレイ内の用紙束の上から１枚ずつ送り出され、給紙搬送路３７、３８の搬送経路を経由して順次電子写真プロセス部２０へ向けて搬送される。
【００２４】
定着装置２８より用紙搬送方向下流側には、用紙排出路２９が設けられており、この用紙排出路２９は後処理装置５の排紙搬送路４１と、両面複写のための再給紙搬送路４２とに分岐している。
【００２５】
ＬＳＵ２１および電子写真プロセス部２０において、メモリから読み出された画像データは、ＬＳＵ２１がレーザ光線を走査させることにより感光体ドラム２２の表面上に静電潜像として形成され、現像装置２４のトナーにより可視像化されたトナー像は給紙部４から搬送された用紙の表面上に転写装置２５により静電転写され、定着装置２８によって定着される。
【００２６】
このようにして画像が形成された用紙は、定着装置２８から後処理装置５へ送られ、あるいは両面複写のための再給紙搬送路４２へと選択的に搬送される。
【００２７】
後処理装置５に送られた用紙は、必要に応じてソートあるいはステープル(綴じ)処理、パンチ処理等の所定の処理が施され、第１排出卜レイ４３または第２排出卜レイ４４にスタックされる。
【００２８】
また、両面複写の再給紙搬送路４２に送られた用紙は、ここで反転され再び電子写真プロセス部２０に搬送されて、用紙の裏面に画像が形成され、定着後排出される。
【００２９】
図１に示す画像形成装置１は、画像形成装置本体に第１〜３カセット３１〜３３、および手差しトレイ３５を備えているが、さらにオプションとして大容量カセット３４を第５のトレイとして付加している。大容量カセット３４の内部には、上方に付勢されたエレベータを有し、このエレベータに用紙が堆積され、最上部の用紙が給紙ローラに接触し、給紙ローラを回転することによって用紙を分離して送り出し、画像形成装置本体の給紙搬送路３７に合流させる。大容量カセット３４は大容量のトレイであるので、最も使用頻度の高い、例えばＡ４サイズの標準紙を収容するとよい。
【００３０】
後処理装置５は、図１では画像形成装置１の左側に配置されており、第１排出卜レイ４３と第２排出卜レイ４４が備えられている。例えば、第２排出卜レイ４４は、画像形成部３から排出された画像の形成されたシートを、後処理装置５の側面上部に設けられた排紙搬送路４１によって受け取り、シートがそのままの状態で排出される排出部である。第１排出卜レイ４３は、ステープル、パンチ（穿穴）等の後処理が実施可能な後処理手段４５により後処理が成されたシートが排出される排出部である。または、ソート処理の指定がない場合、第１排出トレイ４３が使用され、ソート処理の場合、第２排出トレイ４４が使用されるとしてもよい。
【００３１】
両面印刷する場合、画像が記録されたシートは、定着装置２８を経て搬送ローラ６１によりさらに上方搬送され、切換えゲート９を通過させ、一旦反転ローラ６２により積載トレイ６３に向けてシートを排出する。なお、この場合には、シートを完全に排出するのではなく、シートを狭持させたまま反転ローラ６２を逆転させる。そして、切換えゲート９は、図の実線の状態(上向き)から破線の状態(下向き)に、別の切替えゲート６４は、上向き（破線）の状態となり、シートが再給紙搬送路４２を通り、再び画像形成部３に供給され、裏面の印刷がなされる。
【００３２】
また、後処理のためにシートを反転させる場合には、別の切換えゲート６４が下向き(実線)の状態となり、シートが再給紙搬送路４２から後処理装置５に搬送され、後処理が成されるようになっている。
【００３３】
図２は、画像形成装置の概略構成を示した機能ブロック図である。図２に示されるように、画像形成装置１は、画像形成装置１全体の動作を制御する主制御部１０１、操作部１０２、画像読取部を制御する読取制御部１０４、画像形成部３を制御する画像形成制御部１０５、後処理装置５を制御する後処理制御部１０６および通信部１０７を含む。
【００３４】
操作部１０２は、表示制御部１０３と、表示部１０８と、タッチパネル１０９と、操作キー１１０とを含んで構成される。
【００３５】
表示制御部１０３は、例えば、液晶パネル等のディスプレイである表示部１０８、タッチパネル１０９、操作のためのキースイッチである操作キー１１０等を制御する。タッチパネル１０９は、表示部１０８の表示面に設けられ、接触位置の座標を表示制御部１０３に出力する機能を有する。
【００３６】
読取制御部１０４は、画像読取部２を制御して原稿画像を読み取る。画像形成制御部１０５は、画像形成部３を、後処理制御部１０６は、後処理装置５を制御して印刷物を生成する。
【００３７】
通信部１０７は、ＬＡＮを介してクライアントＰＣ（Ｐｅｒｓｏｎａｌ  Ｃｏｍｐｕｔｅｒ）２０１等とネットワーク通信を行う。また、クライアントＰＣ２０１は、タッチパネルの機能を備えている場合、仕上げ設定の機能を有することができる。さらに、画像形成装置１は、読取制御部１０４からの読み取った画像データや、主制御部１０１からの仕上げ設定等について記憶する記憶部１１１を備える。
【００３８】
図３は、第１の実施形態における画像形成処理の流れの一例を示すフローチャートである。画像形成処理は、主制御部１０１により実行される処理である。図３に示されるように、主制御部１０１は、印刷条件を受け付ける（ステップＳ１）。印刷条件には、印刷部数と、倍率と、両面印刷／片面印刷と、Ｎｉｎ１、ステープル、パンチ処理および糊しろ処理等の仕上げ機能とが少なくとも含まれる。
【００３９】
次にステップＳ２において、操作部１０２が備える印刷開始のための印刷ボタンが押下されたか否かを判断する。印刷ボタンが押下されたならば（ステップＳ２でＹＥＳ）、処理をステップＳ３に進める。ステップＳ３において、主制御部１０１は、画像読取部２に原稿を読み取らせ、読取により得られた画像データを記憶部１１１に記憶し、処理をステップＳ４に進める。
【００４０】
ステップＳ４において、主制御部１０１は、ステップＳ１において印刷条件として後処理が設定されているか否かを判断する。後処理が設定されているならば処理をステップＳ５に進めるが、そうでなければ処理をステップＳ１７に進める。
【００４１】
ステップＳ５において、主制御部１０１は、表示制御部１０３を制御して、仕上げ機能の設定を受け付けるための仕上げ設定画面を表示部１０８に表示する。仕上げ設定画面は、用紙領域にステップＳ３において１枚目に読み取った原稿の画像データがプレビュー表示され、ステープルおよびパンチ穴の仕上げ加工位置の指定が可能である。
【００４２】
次のステップＳ６において、主制御部１０１は、仕上げ加工位置を決定したか否かを判断する。仕上げ加工位置の決定指示が入力されたならば処理をステップＳ９に進めるが、そうでなければ処理をステップＳ７に進める。決定指示が入力されることで、仕上げ設定画面においてタッチパネル等により指定された位置が仕上げ加工位置として設定される。
【００４３】
ステップＳ７において、主制御部１０１は、仕上げ設定画面において指定された内容についてキャンセル指示が入力されたか否かを判断する。キャンセル指示が入力されたならば処理をステップＳ８に進めるが、そうでなければ処理をステップＳ６に戻す。
【００４４】
ステップＳ８において、主制御部１０１は、ステップＳ５において指定された内容をキャンセルする処理を実行し、処理をステップＳ６に戻す。
【００４５】
ステップＳ９において、主制御部１０１は、仕上げ加工位置が用紙表面の印字範囲と重なるか否かを判断する。仕上げ加工位置が用紙表面の印字範囲と重なるならば処理をステップＳ１０に進めるが、そうでなければ処理をステップＳ１１に進める。
【００４６】
ステップＳ１０において、主制御部１０１は、用紙表面における印字範囲の位置を変更する。具体的には、ステップＳ５において決定された仕上げ加工位置から遠ざかるように印字範囲の位置をずらす。
【００４７】
ステップＳ１１において、主制御部１０１は、ステップＳ１における印刷条件として両面印刷が設定されているか否かを判断する。両面印刷が設定されているならば処理をステップＳ１２に進めるが、そうでなければ処理をステップＳ１４に進める。
【００４８】
ステップＳ１２において、主制御部１０１は、仕上げ加工位置が用紙裏面の印字範囲と重なるか否かを判断する。仕上げ加工位置が用紙裏面の印字範囲と重なるならば処理をステップＳ１３に進めるが、そうでなければ処理をステップＳ１４に進める。
【００４９】
ステップＳ１３において、主制御部１０１は、用紙裏面における印字範囲の位置を変更する。具体的には、ステップＳ５において決定された仕上げ加工位置から遠ざかるように印字範囲の位置をずらす。
【００５０】
次にステップＳ１４において、主制御部１０１は、印刷を実行する。具体的には、片面印刷または両面印刷いずれか設定されている方式で、用紙表面または用紙裏面の少なくとも一方に対して、印字範囲の位置に変更がある場合、その内容が反映されたうえで印刷が実行される。
【００５１】
ステップＳ１５において、主制御部１０１は、未印字の画像データがあるか否かを判断する。未印字の画像データがあるならば画像形成処理を終了するが、そうでなければ処理をステップＳ１６に進める。
【００５２】
ステップＳ１６において、主制御部１０１は、原稿を読み取った順に、未印字の画像データを処理対象に設定し、処理をステップＳ９に戻す。
【００５３】
ステップＳ１７は、ステップＳ４において、後処理が設定されていない場合である（ステップＳ４でＮＯ）。ステップＳ１７において、主制御部１０１は、ステップＳ３において原稿が読み取られることにより得られた画像データに基づいて、後処理を実行せずに通常の印刷を実行し、画像形成処理を終了する。
【００５４】
ここで、両面印刷における仕上げ加工位置に応じた印字範囲の位置を変更する場合の第１〜３具体例を図４〜６を参照して説明する。図４では、画像Ａが含まれる１枚目の原稿と、画像Ｂが含まれる２枚目の原稿を読みって画像データが生成され、これら画像データに基づいて両面印刷が実行される場合を示す。図５，６では、画像Ａが含まれる１枚目の原稿と、画像Ｂが含まれる２枚目の原稿と、画像Ｃが含まれる３枚目の原稿と、画像Ｄが含まれる４枚目の原稿とを読みって画像データが生成され、これら画像データに基づいて２ｉｎ１の両面印刷が実行される場合を示す。なお、仕上げ加工位置において実行される仕上げ処理は、ステープル処理、パンチ処理および糊しろ処理を少なくとも含む。
【００５５】
図４は、両面印刷における仕上げ加工位置に応じた印字範囲の位置を変更する場合の第１具体例を示す図である。図４に示されるように、用紙表面において左端が仕上げ加工位置として決定されると、画像Ａの印字範囲の位置は、仕上げ加工位置と重ならないように仕上げ加工位置から遠ざかるように右へ変更される。ここで、画像Ａの印字範囲は、用紙の範囲のうち仕上げ加工位置を除いた範囲より小さい。このため、画像Ａの倍率が変更されることなく、画像Ａの印字範囲の位置が用紙の範囲のうち仕上げ加工位置を除いた範囲内に設定される。
【００５６】
一方、用紙裏面においては、用紙表面において決定された仕上げ加工位置が右端に位置する。このため、画像Ｂの印字範囲は仕上げ加工位置と重ならないように仕上げ加工位置から遠ざかるように左へ変更される。ここで、画像Ｂの印字範囲は、用紙の範囲のうち仕上げ加工位置を除いた範囲より小さい。このため、画像Ｂの倍率が変更されることなく、画像Ｂの印字範囲の位置が用紙の範囲のうち仕上げ加工位置を除いた範囲内に設定される。
【００５７】
図５は、両面印刷における仕上げ加工位置に応じた印字範囲の位置を変更する場合の第２具体例を示す図である。図５に示されるように、用紙表面において左端が仕上げ加工位置として決定されると、画像Ａ，Ｂの印字範囲の位置は、仕上げ加工位置と重ならないように仕上げ加工位置から遠ざかるように右へ変更される。ここで、画像Ａ，Ｂの印字範囲は、用紙の範囲のうち仕上げ加工位置を除いた範囲より小さい。このため、画像Ａ，Ｂの倍率が変更されることなく、画像Ａ，Ｂの印字範囲の位置が用紙の範囲のうち仕上げ加工位置を除いた範囲内に設定される。
【００５８】
一方、用紙裏面においては、用紙表面において仕上げ加工位置が左端に決定されているため、仕上げ加工位置が右端に位置する。このため、画像Ｃ，Ｄの印字範囲は仕上げ加工位置と重ならないように仕上げ加工位置から遠ざかるように左へ変更される。ここで、画像Ｃ，Ｄの印字範囲は、用紙の範囲のうち仕上げ加工位置を除いた範囲より小さい。このため、画像Ｃ，Ｄの倍率が変更されることなく、画像Ｃ，Ｄの印字範囲の位置が用紙の範囲のうち仕上げ加工位置を除いた範囲内に設定される。
【００５９】
図６は、両面印刷における仕上げ加工位置に応じた印字範囲の位置を変更する場合の第３具体例を示す図である。図６に示されるように、用紙表面において中央付近が仕上げ加工位置として決定されると、画像Ａ，Ｂの印字範囲の位置は、仕上げ加工位置と重ならないように、仕上げ加工位置から遠ざかるように両端へ変更される。ここで、画像Ａの印字範囲は、用紙の範囲のうち仕上げ加工位置より左の範囲より小さく、画像Ｂの印字範囲は、用紙の範囲のうち仕上げ加工位置より右の範囲より小さい。このため、画像Ａ，Ｂの倍率が変更されることなく、画像Ａの印字範囲の位置が用紙の範囲のうち仕上げ加工位置より左の範囲内に設定され、画像Ｂの印字範囲の位置が用紙の範囲のうち仕上げ加工位置より右の範囲内に設定される。
【００６０】
一方、用紙裏面においては、用紙表面において仕上げ加工位置が中央付近に決定されているため、仕上げ加工位置が中央付近に位置する。このため、画像Ｃ，Ｄの印字範囲の位置は、仕上げ加工位置と重ならないように、仕上げ加工位置から遠ざかるように両端へ変更される。ここで、画像Ｃの印字範囲は、用紙の範囲のうち仕上げ加工位置より左の範囲より小さく、画像Ｄの印字範囲は、用紙の範囲のうち仕上げ加工位置より右の範囲より小さい。このため、画像Ｃ，Ｄの倍率が変更されることなく、画像Ｃの印字範囲の位置が用紙の範囲のうち仕上げ加工位置より左の範囲内に設定され、画像Ｄの印字範囲の位置が用紙の範囲のうち仕上げ加工位置より右の範囲内に設定される。
【００６１】
〔第２の実施形態〕
第１の実施形態においては、両面印刷の場合に、用紙表面および裏面において仕上げ加工位置と印字範囲とが重ならないように、印字範囲の位置を変更するものであった。第２の実施形態においては、印字範囲の位置の変更に加えて、印字倍率を変更するものである。
【００６２】
図７は、第２の実施形態における画像形成処理の流れの一例を示すフローチャートである。図７に示す画像形成処理が図３に示す画像形成処理と異なる点は、ステップＳ１０とＳ１１の間にステップＳ２１，２２が追加され、ステップＳ１３とＳ１４の間にステップＳ２３，Ｓ２４が追加された点である。その他の処理は、図７に示す処理と同じであるので、ここでは説明を繰り返さない。
【００６３】
ステップＳ２１において、主制御部１０１は、ステップＳ１０において位置が変更された印字範囲が用紙の範囲に含まれるか否かを判断する。ステップＳ１０において位置が変更された印字範囲が用紙の範囲に含まれるならば処理をステップＳ１１に進めるが、そうでなければ処理をステップＳ２２に進める。
【００６４】
ステップＳ２２において、主制御部１０１は、印字範囲全体が用紙の範囲に含まれるように印字倍率を縮小し、処理をステップ１１に進める。
【００６５】
ステップＳ２３において、主制御部１０１は、ステップＳ１３において位置が変更された印字範囲が用紙の範囲に含まれるか否かを判断する。ステップＳ１３において位置が変更された印字範囲が用紙の範囲に含まれるならば処理をステップＳ１４に進めるが、そうでなければ処理をステップＳ２４に進める。
【００６６】
ステップＳ２４において、主制御部１０１は、印字範囲全体が用紙の範囲に含まれるように印字倍率を縮小し、処理をステップ１４に進める。
【００６７】
ここで、両面印刷における仕上げ加工位置に応じた印字範囲の位置および印字倍率を変更する場合の第４，５具体例を図８，９を参照して説明する。図８，９では、画像Ａが含まれる１枚目の原稿と、画像Ｂが含まれる２枚目の原稿を読みって画像データが生成され、これら画像データに基づいて両面印刷が実行される場合を示す。なお、仕上げ加工位置において実行される仕上げ処理は、ステープル処理、パンチ処理および糊しろ処理を少なくとも含む。
【００６８】
図８は、両面印刷における仕上げ加工位置に応じた印字範囲の位置および印字倍率を変更する場合の第４具体例を示す図である。図８に示されるように、用紙表面において左端が仕上げ加工位置として決定されると、画像Ａを含む印字範囲の位置は仕上げ加工位置から遠ざかるように右へ変更されるが、画像Ａ全体が用紙の範囲に含まれない。この場合、用紙の範囲のうち仕上げ加工位置を除いた範囲に画像Ａ全体が含まれるように画像Ａの倍率が縮小されたうえで、用紙の範囲のうち仕上げ加工位置を除いた範囲内に画像Ａの印字範囲の位置が変更される。
【００６９】
一方、用紙裏面においては、用紙表面において仕上げ加工位置が左端に決定されているため、仕上げ加工位置が右端に位置する。このため、画像Ｂの印字範囲は仕上げ加工位置と重ならないように仕上げ加工位置から遠ざかるように左へ変更されるが、画像Ｂ全体が用紙の範囲に含まれない。この場合、用紙の範囲のうち仕上げ加工位置を除いた範囲に画像Ｂ全体が含まれるように画像Ｂの倍率が縮小されたうえで、用紙の範囲のうち仕上げ加工位置を除いた範囲内に画像Ｂの印字範囲の位置が変更される。
【００７０】
図９は、両面印刷における仕上げ加工位置に応じた印字範囲の位置および印字倍率を変更する場合の第５具体例を示す図である。図９に示されるように、用紙表面において左端が仕上げ加工位置として決定されると、画像Ａを含む印字範囲の位置は仕上げ加工位置から遠ざかるように右へ変更されるが、画像Ａの印字範囲全体が用紙の範囲に含まれない。この場合、用紙の範囲のうち仕上げ加工位置を除いた領域に画像Ａの印字範囲全体が含まれるように画像Ａの倍率が縮小される。
【００７１】
一方、用紙裏面においては、用紙表面において仕上げ加工位置が左端に決定されているため、仕上げ加工位置が右端に位置する。このため、画像Ｂの印字範囲は仕上げ加工位置と重ならないように仕上げ加工位置から遠ざかるように左へ変更される。ここで、画像Ｂの印字範囲は、用紙の範囲のうち仕上げ加工位置を除いた範囲より小さい。このため、画像Ｂの倍率が変更されることなく、画像Ｂの印字範囲の位置が用紙の範囲のうち仕上げ加工位置を除いた範囲内に設定される。
【００７２】
〔第３の実施形態〕
第３の実施形態は、印字範囲の位置を変更せず、印字倍率の縮小だけで用紙の範囲のうち仕上げ加工位置を除いた範囲内に画像を形成する構成である。
【００７３】
〔ソフトウェアによる実現例〕
画像形成装置１の制御ブロック（特に主制御部１０１）は、集積回路（ＩＣチップ）等に形成された論理回路（ハードウェア）によって実現してもよいし、ＣＰＵ（Central Processing Unit）を用いてソフトウェアによって実現してもよい。
【００７４】
後者の場合、画像形成装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７５】
〔まとめ〕
本発明の態様１に係る画像形成装置は、原稿を読み取ることにより生成された画像データに基づいて、画像を形成する画像形成装置であって、印刷条件を設定する印刷条件設定部（主制御部１０１）と、印字後の仕上げ処理を実行する仕上げ処理実行部（後処理制御部１０６）と、記録媒体の両面に印字する両面印刷および印字後の仕上げ処理が前記印刷条件として前記印刷条件設定部により設定されると、前記仕上げ処理において、該両面それぞれにおいて前記仕上げ処理が実行される仕上げ処理範囲を含まない範囲内に印字範囲の位置を調整する調整部（主制御部１０１）とを備える。
【００７６】
上記の構成によれば、記録媒体の両面に印字する両面印刷および印字後の仕上げ処理が印刷条件として設定されると、仕上げ処理において、該両面それぞれにおいて仕上げ処理が実行される仕上げ処理範囲を含まない範囲内に印字範囲の位置が調整されるので、記録媒体の両面それぞれにおいて、仕上げ処理範囲と印字範囲とを重ならないようにすることができる。したがって、両面印字において、印字範囲と仕上げ処理範囲とを重ならないようにすることが可能な画像形成装置を提供することができる。
【００７７】
また、本発明の態様２に係る画像形成装置において、前記調整部は、前記印字範囲の位置を調整する。
【００７８】
上記の構成によれば、単に印字範囲の位置を変更するだけで印字範囲と仕上げ処理範囲とを重ならないようにすることができる。
【００７９】
また、本発明の態様３に係る画像形成装置において、前記調整部は、前記印字範囲の位置の調整に加えて、前記記録媒体の両面それぞれに形成される画像の印字倍率を調整する。
【００８０】
上記の構成によれば、単に印字範囲の位置を調整するだけでは記録媒体から印字範囲がはみ出る場合があるため、印字倍率を調整する。これにより、仕上げ処理範囲と印字範囲とを重ならないようにしつつ、印字範囲が記録媒体からはみ出さないようにすることができる。
【００８１】
また、本発明の態様４に係る画像形成装置において、前記調整部は、前記印字範囲の位置の調整に加えて、前記記録媒体の表面に形成される画像と裏面に形成される画像とを互いに異なる印字倍率に調整する。
【００８２】
上記の構成によれば、一方の画像の大きさを必要以上に調整することを防止することができる。例えば、表面に形成される画像の印字範囲が用紙の範囲一杯で、裏面に形成される画像の印字範囲が用紙の範囲に対して十分に狭い場合に、同じ印字倍率にすると、裏面の印字範囲が必要以上に小さくなるが、表面と裏面とを適切な異なる印字倍率にすることで、裏面の印字範囲が必要以上に小さくなるといった不具合を防止することができる。
【００８３】
また、本発明の態様５に係る画像形成装置において、前記印刷条件設定部は、前記記録媒体の表面または裏面の少なくとも一方に複数ページ分を印刷する条件を前記前記印刷条件として設定する。
【００８４】
上記の構成によれば、Ｎｕｐ１等の印刷においても、Ｎページ分の画像の印字範囲の位置を調整することで、印字範囲と仕上げ処理範囲とを重ならないようにすることができる。
【００８５】
また、本発明の態様６に係る画像形成装置において、前記調整部は、中綴じ処理が前記印刷条件設定部により設定されると、前記記録媒体において中央の仕上げ処理範囲を含まない左の範囲内に、左面に形成されるとして割り振られるページの画像の印字範囲の位置を調整し、前記記録媒体において中央の仕上げ処理範囲を含まない右の範囲内に、右面に形成されるとして割り振られるページの画像の印字範囲の位置を調整する。
【００８６】
上記の構成によれば、中綴じ印刷においても印字範囲と仕上げ処理範囲とを重ならないようにすることができる。
【００８７】
本発明の各態様に係る画像形成装置は、コンピュータによって実現してもよく、この場合には、コンピュータを上記画像形成装置が備える各手段として動作させることにより上記画像形成装置をコンピュータにて実現させる画像形成装置の画像形成制御プログラム、およびそれを記録したコンピュータ読み取り可能な記録媒体も、本発明の範疇に入る。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８９】
１  画像形成装置
５  後処理装置
４５  後処理手段
１０１  主制御部（印刷条件設定部，調整部）
１０６  後処理制御部（仕上げ処理実行部）
【図１】
2015040952.tif 000003
【図２】
2015040952.tif 000004
【図３】
2015040952.tif 000005
【図４】
2015040952.tif 000006
【図５】
2015040952.tif 000007
【図６】
2015040952.tif 000008
【図７】
2015040952.tif 000009
【図８】
2015040952.tif 000010
【図９】
2015040952.tif 000011